(57)【要約】【課題】段差のある端子取付部に電線を取り付ける方法では、低い方の端子に接続されている電線の線番号チューブの番号を確認する為には、高い方の端子に接続されている電線を左右どちらかに寄せて目視するのが困難であった。【解決手段】低い方の側の端子に接続した電線に付加する線番号チューブを長くし、電線の種類を見分けるための線番号を表示した線番号表示部を端子から離れた位置に設け、高い方の端子取付部に接続する電線が上部に重なって取り付けられた時でも容易に左右どちらかに寄せて目視できるようにした電線用チューブ。【選択図】図１
2005229739.tif 000002
【特許請求の範囲】
【請求項１】
列ごとに接続位置の高さが異なり隣接する複数列の端子取付部を有する電気機器の前記複数列の端子取付部のうち、低い方の位置にある端子取付部に接続する電線に取り付ける所定長さの電線用チューブであって、長さを２５ｍｍ以上５０ｍｍ以下とし、電線の種類を見分けるための線番号を表示した線番号表示部を長手方向の端部に設けた電線用チューブ。
【請求項２】
電気機器はリレーソケット端子台である請求項１に記載の電線用チューブ。
【請求項３】
リレーソケット端子台は、内部切り替えスイッチと、前記内部切り替えスイッチの切り替えを行うために外部からの電流を入力するコイル端子と、所定の外部と接続するコモン端子と、通常時に前記コモン端子と接続されるＡ接点端子と、前記コイル端子に外部から電流入力された時に前記コモン端子との接続に切り替わるＢ接点端子とを備え、前記Ａ接点端子および前記Ｂ接点端子が２列で隣接し、前記Ｂ接点端子の列の高さが前記Ａ接点端子の端子列より低くなっている請求項２記載の電線用チューブ。
【請求項４】
リレーソケット端子台は受配電装置に用いたものである請求項３または４記載の電線用チューブ。
【請求項５】
内部切り替えスイッチと、前記内部切り替えスイッチの切り替えを行うために外部からの電流を入力するコイル端子と、所定の外部と接続するコモン端子と、通常時に前記コモン端子と接続されるＡ接点端子と、前記コイル端子に外部から電流入力された時に前記コモン端子との接続に切り替わるＢ接点端子と、前記Ａ接点端子および前記Ｂ接点端子に接続する電線とを備えたリレーソケット端子台であって、前記Ａ接点端子および前記Ｂ接点端子は２列で隣接し、前記Ｂ接点端子の列の高さが前記Ａ接点端子の列の高さより低くなっており、前記電線のうち、前記Ｂ接点に接続する電線は、２５ｍｍ以上５０ｍｍ以下の長さであり、前記電線の種類を見分けるための線番号を表示した線番号表示部を前記電線の端子と反対側の長手方向端部に設けた電線用チューブを有するリレーソケット端子台。
【請求項６】
内部切り替えスイッチと、前記内部切り替えスイッチの切り替えを行うために外部からの電流を入力するコイル端子と、所定の外部と接続するコモン端子と、通常時に前記コモン端子と接続されるＡ接点端子と、前記コイル端子に外部から電流入力された時に前記コモン端子との接続に切り替わるＢ接点端子と、前記Ａ接点端子および前記Ｂ接点端子に接続する電線とを備えたリレーソケット端子台を備えた受配電装置であって、前記リレーソケット端子台は、前記Ａ接点端子および前記Ｂ接点端子は２列で隣接し、前記Ｂ接点端子の列の高さが前記Ａ接点端子の列の高さより低くなっており、前記電線のうち、前記Ｂ接点に接続する電線は、２５ｍｍ以上５０ｍｍ以下の長さであり、前記電線の種類を見分けるための線番号を表示した線番号表示部を前記電線の端子と反対側の長手方向端部に設けた電線用チューブを有する受配電装置。
【発明の詳細な説明】
【技術分野】
【０００１】
本発明は電線に取り付ける電線用チューブおよび、その電線用チューブを取り付けた電線を接続した電気機器、特にリレーソケット端子台、およびそのリレーソケット端子台を備えた受配電装置に関するものである。
【背景技術】
【０００２】
近年、会社、工場、店舗等で高圧受電して降圧する受配電装置が広く使用されている。この受配電装置は、コンデンサ、避雷器等、種々の高圧受電用機器で構成されている。リレーソケット端子台はその構成要素の１つであり、端子台付のリレースイッチであり、コイル端子に外部から電流を流すことで接続を切り替えるようにするものである。
【０００３】
図３は一般的なリレーソケット端子台を示す図であり、（ａ）は正面図、（ｂ）は側面図を示す。そして図３において、１はリレーソケット、２はＢ接点端子、３はＡ接点端子、４はコモン端子、５はコイル端子を示す。また図４は、図３のリレーソケット端子台の内部結線概略図を示すものである。さらに図５は、図３で示す一般的なリレーソケットの各端子に、従来の電線用チューブを付加した電線を接続した状態を示す図であり、（ａ）は正面図、（ｂ）は側面図を示す。
【０００４】
なお、Ａ接点、Ｂ接点とはそれぞれ常時開、常時閉を意味し、リレーソケット１は、コイル端子４に外部から電流入力がない通常時は、Ｂ接点端子２とコモン端子４とが内部切り替えスイッチで接続されており、コイル端子４に外部から電流入力があるとＡ接点端子３とコモン端子４との接続に内部切り替えスイッチが切り替えられる。
【０００５】
また、図３のリレーソケット端子台ではＡ接点端子、Ｂ接点端子は複数列設けられ、各列ごとに高さが異なり、Ｂ接点端子が低くなっている。また、コイル端子入力５は１系統であり、１つのコイル入力端子への入力により、複数の接点切り替えが同時に行われる。
【０００６】
このようなリレーソケット１の機能に端子台を設けたリレーソケット端子台の各端子に電線を接続したのが図５（ａ）（ｂ）であり、図で示すように、１つのリレーソケット端子台に複数の電線が接続されている。このようなリレーソケット端子台は、１つのコイル端子の入力に対し、複数の接続のスイッチ切り替えを行うようにする際に有用である。しかしながら、このようなリレーソケット端子台を用いた受配電装置の設置工事やメンテナンス工事においては、端子への配線を間違いなく作業するのが難しく、作業後に正しく接続されたかどうかの確認が必要であった。
【０００７】
リレーソケット端子台に接続する電線７は、図２（ａ）に示すように、端子７ａを有しており、Ｂ接点端子２、Ａ接点端子３、コモン端子４、コイル端子５へそれぞれねじ止めにて接続する。そして図２（ａ）に示すように、電線７は端子７ａ付近に線番号チューブ７ｂが付加されており、さらに線番号チューブ７ｂには、端子７ａ寄りの位置に線番号を特定するための線番号を表示した線番号表示部７ｃを備えている。そして、この線番号表示部７ｃに表示された線番号により、それぞれの端子へ接続する電線が図面通り正しく接続されているかを確認していた。
【０００８】
なお、例えば特許文献１に示す線番号チューブは、端子に接続する電線を区別するために、電線に線番号をつけたもので、線番号を分かりやすくすると共に、断面をＵ字状にして容易に着脱できるようにした電線の線番号表示具が示されている。
【特許文献１】特開平０６−１３０９００号公報（第１図）
【発明の開示】
【発明が解決しようとする課題】
【０００９】
しかしながら、上記した従来のリレーソケット端子台に電線を取り付ける方法においては、線番号チューブを取付けた電線がそれぞれ図面通りの端子に正しく接続されている事を作業指示図面を基にして一本一本確認していくために、それぞれの線番号チューブに表示された線番号を目視して確認していく必要がある。その際に、図５に示すようにリレーソケット端子台のほぼすべてに電線の端子が取り付けられている場合、電線に付加した線番号チューブはすべて電線の端子付近に取り付けられているため、段差を有するために下側になるＢ接点端子に接続されている電線の線番号チューブの番号を確認する為には、上側にあるＡ接点端子に接続されている電線を左右どちらかに寄せて目視する必要があった。
【００１０】
しかし、それぞれの端子はネジで固定されており、寄せることは容易ではなく、また仮に寄せても、下側のＢ接点端子へ接続されている電線の線番号を正確に目視する事は難しい。正確に目視する為には、上側のＡ接点端子３に接続されている電線のネジを外して、下側のＢ接点端子２の線番号を確認する必要があった。しかし、リレーソケット端子台が受変電装置等で使用されている場合、数百個のリレーにて構成されるので、Ｂ接点接続電線を確認する為には、非常に手間がかかっていた。
【００１１】
本発明は上記課題を解決するもので、上側のＡ接点端子に接続されている電線端子のネジを外す事なくＡ接点端子に接続されている電線を軽く左右どちらかに寄せるだけで、簡単にＢ接点端子に接続されている電線の線番号を確認する事を可能とし、確認作業の省力化をはかる事を目的としている。
【課題を解決するための手段】
【００１２】
上記課題を解決するために、本発明においては、列ごとに高さが異なり隣接する複数列の端子取付部を有する電気機器の低い方の端子取付部に接続する電線に取り付ける電線用チューブであって、長さを２５ｍｍ以上５０ｍｍ以下とし、電線の種類を見分けるための線番号を表示した線番号表示部を有し、線番号表示部は、長手方向の端部に設け、電気機器の高い方の位置にある端子取付部に接続する電線が上部に重なって取り付けられた時に容易に左右どちらかに寄せて、目視できるようにした電線用チューブを提供する。
【００１３】
また本発明においては、電気機器は特にリレーソケット端子台としたものであり、そのリレーソケット端子台は、内部切り替えスイッチと、前記内部切り替えスイッチの切り替えを行うために外部からの電流を入力するコイル端子と、所定の外部と接続するコモン端子と、通常時にコモン端子と接続されるＡ接点端子と、コイル端子に外部から電流入力された時にコモン端子との接続に切り替わるＢ接点端子とを備え、Ａ接点端子およびＢ接点端子が２列で隣接し、Ｂ接点端子の列の高さがＡ接点端子の列の高さより低くなっているものである。
【発明の効果】
【００１４】
従来は非常に手間のかかっていたＢ接点接続電線の線番号確認作業が、本発明により省力化がはかられる受変電装置を提供できる。
【発明を実施するための最良の形態】
【００１５】
以下、本発明を実施するための最良の形態について、図１および図２を用いて説明する。
【００１６】
（実施の形態１）
図１は、本発明の実施の形態１において、リレーソケット端子台に電線用チューブを用いた電線を接続した状態を示す図であり、（ａ）は正面図、（ｂ）は側面図を示す。
【００１７】
そして図１において、１はリレーソケット、２はＢ接点端子、３はＡ接点端子、４はコモン端子、５はコイル端子を示す。なお、このリレーソケットの機能については、すでに背景技術の項で図３および図４を用いて説明したものと同じであるので重複する説明を省略する。
【００１８】
また６は、リレーソケット１の各端子のうちＡ接点端子３に接続する電線、６ａは電線６の端子、６ｂは端子６ａ付近に取り付けた線番号チューブ、６ｃは線番号チューブ６ｂに表示した線番号を示す。
【００１９】
また７は、リレーソケット１の各端子のうちＢ接点端子２に接続する電線、７ａは電線７の端子、７ｂは端子７ａ付近に取り付けた線番号チューブ、７Ｃは線番号チューブ７ｂに表示した線番号を示す。
【００２０】
また図２は、図１で示す電線を示すもので、（ａ）がＡ接点端子３の接続する電線６、（ｂ）がＢ接点端子２の接続する電線７を示す。
【００２１】
このような本実施の形態におけるＡ接点およびＢ接点端子を有するリレーソケット端子台に接続する電線および電線用チューブにおいて、リレーソケット端子台１は、図１に示すように、Ａ接点端子３とＢ接点端子２とは２列で構成され、列ごとに高さが異なる段違いになっていて、Ａ接点端子３の端子取付部は、Ｂ接点端子２の端子取付部より高い位置に位置している。このようにすることで接続する電線を重ねさせることができ、全体として省スペースが可能となっている。
【００２２】
この際、所定の電線が正しく接続されているかどうかを確認するために電線の付された線番号を確認する必要があるが、Ｂ接点端子２に接続された電線７は、Ａ接点端子３に接続された電線６に隠れて、線番号が確認しにくい。
【００２３】
そこで図２（ａ）（ｂ）に示すように、リレーソケット端子台の低い方の側にあるＢ接点端子２に接続されている電線７の線番号チューブ７ｂの長さは、Ａ接点端子３に接続されている電線６の線番号チューブ６ｂの長さの２倍以上となっており、さらに線番号チューブ７ｂに記された線番号７ｃの線番号表示部７ｃは端子７ａから離れた位置に表示されており、その距離は、端子７ａの位置から少なくとも線番号チューブ６ｂの長さ以上離れた距離としている。なお、この距離は、一般的な線番号チューブ長が２５ｍｍ以下であることから、この目的を達するには線番号チューブ７ｂの長さは少なくとも２５ｍｍ以上であり、コスト的な観点から５０ｍｍ以下とすることが妥当である。
【００２４】
そして、図１に示すように、このような電線チューブ７ｂを付加した電線７をＢ接点端子２に接続することで、その上部に、Ａ接点端子３に接続された電線６が重なっていても、電線６を左右いずれかに寄せることによって、線番号チューブ７ｂに表示された線番号７ｃを確認できる。
【００２５】
以上のことから、本実施の形態においては、リレーソケット端子台に電線を接続し、製作された受配電装置の配線が図面通り接続されているか確認するにあたり、リレーソケット端子台上側のＡ接点端子に接続されている電線を左右に寄せるだけで簡単にＢ接点端子に接続されている線番号を目視確認する事が可能である。
【００２６】
なお、本実施の形態においては、線番号チューブを付加した電線をＡ接点端子およびＢ接点端子に接続したリレーソケット端子台に取り付けた例について示したが、リレーソケット端子台に限定するものではなく、列ごとに高さが異なり隣接する複数列の端子台を有する電気機器に用いることでもその効果を発揮する。
【産業上の利用可能性】
【００２７】
本発明の電線は、容易に配線後の接続確認をすることができ、リレーソケット端子台を用いた受配電装置をはじめ、種々の電気機器に適用でき、産業上有用である。
【図面の簡単な説明】
【００２８】
【図１】（ａ）本発明の実施の形態１におけるリレーソケット端子台に電線を接続した状態を示す正面図（ｂ）同側面図
【図２】（ａ）本発明の実施の形態１に用いたＡ接点端子に接続した電線を示す図（ｂ）本発明の実施の形態１に用いたＢ接点端子に接続した電線を示す図
【図３】（ａ）一般的なリレーソケット端子台を示す正面図（ｂ）同側面図
【図４】リレーソケット端子台の内部結線概略図
【図５】（ａ）従来例におけるリレーソケット端子台に電線を接続した状態を示す正面図（ｂ）同側面図
【符号の説明】
【００２９】
２  Ｂ接点端子
３  Ａ接点端子
４  コモン端子
５  コイル端子
６、７  電線
６ａ、７ａ  端子
６ｂ、７ｂ  電線用チューブ
６ｃ、７ｃ  線番号表示部
【図１】
2005229739.tif 000003
【図２】
2005229739.tif 000004
【図３】
2005229739.tif 000005
【図４】
2005229739.tif 000006
【図５】
2005229739.tif 000007